(57)【要約】【目的】検索操作を行うことなく、ユーザに役立つ情報を通信端末に提供することが可能な通信システム及びその通信方法を提供することを目的とする。【構成】無線中継装置が自身の通信可能領域内での無線通信端末の存在を検出したときに、この無線中継装置の設置位置を示す位置情報を通信回線網を介してサーバに送信する。かかる位置情報を受け取ると、サーバは、この位置情報によって示される無線中継装置の周辺に存在する施設に関する周辺情報を、通信回線網を介して無線通信端末に送信する。【選択図】図３
2014195197.tif 000002
【特許請求の範囲】
【請求項１】
通信回線網に接続されたサーバと、前記通信回線網に接続された少なくとも１の無線中継装置と、を含む通信システムであって、
前記無線中継装置は、自身の通信可能領域内での無線通信端末の存在を検出したときに前記無線中継装置の設置位置を示す位置情報を前記通信回線網を介して前記サーバに送信する手段を有し、
前記サーバは、前記無線中継装置の設置位置を示す位置情報と前記無線中継装置の設置位置の周辺に存在する施設に関する周辺情報とを対応付けして記憶しているメモリと、
前記位置情報を受信してこの受信位置情報に対応した前記周辺情報を前記メモリから読み出しこれを前記無線中継装置を介して前記無線通信端末に送信する手段と、を有することを特徴とする通信システム。
【請求項２】
前記無線中継装置は、前記無線通信端末が無線送信した端末登録要求信号を受信してこの受信した前記端末登録要求信号に前記位置情報を含ませた端末登録要求信号を前記サーバに送信することを特徴とする請求項１記載の通信システム。
【請求項３】
前記周辺情報は文字情報であることを特徴とする請求項１又は２に記載の通信システム。
【請求項４】
前記無線中継装置には前記設置位置を検出するＧＰＳ受信機が設けられていることを特徴とする請求項１〜３のいずれか１に記載の通信システム。
【請求項５】
前記無線中継装置の通信パラメータの設定を行うコントローラが前記通信回線網に接続されており、
前記コントローラが前記位置情報を前記通信回線網を介して前記無線中継装置に送信することを特徴とする請求項１〜３のいずれか１に記載の通信システム。
【請求項６】
サーバ、通信回線網及び無線中継装置を介して無線通信端末を用いた通信を行う通信方法であって、
前記無線中継装置が自身の通信可能領域内での無線通信端末の存在を検出したときに当該無線中継装置の設置位置を示す位置情報を前記通信回線網を介して前記サーバに送信するステップと、
前記位置情報を受信したときに前記サーバが、前記位置情報によって示される無線中継装置の設置位置の周辺に存在する施設に関する周辺情報を前記無線中継装置を介して前記無線通信端末に送信するステップと、を有することを特徴とする通信方法。
【発明の詳細な説明】
【技術分野】
【０００１】
本発明は、無線アクセスポイントを介して通信を行う通信システム及びその通信方法に関する。
【背景技術】
【０００２】
現在、公衆回線網を利用して文字情報を伝送するサービスとして、ショートメッセージサービス（以下、ＳＭＳと称する）が知られている。更に、このようなＳＭＳを利用して、表示機能を備えた携帯電話機等の携帯端末に、この携帯端末のユーザから要求された情報を文字情報で提供するようにした情報提供サービス方法が提案されている（例えば、特許文献１参照）。
【０００３】
ここで、かかる情報提供サービス方法を利用して所望の情報を取得する為には、ユーザは、先ず、携帯端末の画面に検索用のメニュー画面を表示させるべき操作を行い、引き続き、そのメニュー画面から所望の項目を選択、或いは検索キーワードを入力する操作を行う。
【０００４】
したがって、例えば、ユーザが、立ち寄った商業施設内でその施設に関する情報を知りたくなった場合には、携帯端末の検索用のメニュー画面からこの商業施設を指定する操作を行う必要があり、その操作が煩わしいという問題があった。
【先行技術文献】
【特許文献】
【０００５】
【特許文献１】特開平１１−１８７１５５号公報
【発明の概要】
【発明が解決しようとする課題】
【０００６】
本発明は、かかる問題を解決すべく為されたものであり、検索操作を行うことなく、ユーザに役立つ情報を通信端末に提供することが可能な通信システム及びその通信方法を提供することを目的とする
【課題を解決するための手段】
【０００７】
本発明による通信システムは、通信回線網に接続されたサーバと、前記通信回線網に接続された少なくとも１の無線中継装置と、を含む通信システムであって、前記無線中継装置は、自身の通信可能領域内での無線通信端末の存在を検出したときに前記無線中継装置の設置位置を示す位置情報を前記通信回線網を介して前記サーバに送信する手段を有し、前記サーバは、前記無線中継装置の設置位置を示す位置情報と前記無線中継装置の設置位置の周辺に存在する施設に関する周辺情報とを対応付けして記憶しているメモリと、前記位置情報を受信してこの受信位置情報に対応した前記周辺情報を前記メモリから読み出しこれを前記無線中継装置を介して前記無線通信端末に送信する手段と、を有する。
【０００８】
又、本発明による通信方法は、サーバ、通信回線網及び無線中継装置を介して無線通信端末を用いた通信を行う通信方法であって、前記無線中継装置が自身の通信可能領域内での無線通信端末の存在を検出したときに当該無線中継装置の設置位置を示す位置情報を前記通信回線網を介して前記サーバに送信するステップと、前記位置情報を受信したときに前記サーバが、前記位置情報によって示される無線中継装置の設置位置の周辺に存在する施設に関する周辺情報を前記無線中継装置を介して前記無線通信端末に送信するステップと、を有する。
【発明の効果】
【０００９】
本発明に係る通信システムでは、無線中継装置が自身の通信可能領域内で無線通信端末の存在を検出すると、先ず、この無線中継装置が自身の設置位置を示す位置情報を通信回線網を介してサーバに送信する。かかる位置情報を受け取ると、サーバは、この位置情報によって示される無線中継装置の周辺に存在する施設に関する周辺情報を、通信回線網を介して無線通信端末に送信する。かかる通信システムによれば、無線通信端末を携帯しているユーザが、無線中継装置の無線通信可能領域に立ち入ると、自動的に、その周辺に存在する施設の情報がこの無線通信端末の画面に表示されることになる。従って、ユーザは、無線通信端末に対する検索操作を実施することなく、現在地の近傍に存在する施設に関する情報を取得することが可能となる。
【図面の簡単な説明】
【００１０】
【図１】本発明に係る通信システム１０の構成を示すブロック図である。
【図２】ＳＩＰサーバ１に搭載されている電話番号メモリ及び周辺情報メモリに記憶されている記憶内容の一例を示す図である。
【図３】通信システム１０において為される通信動作を示す通信フロー図である。
【図４】ＳＩＰ端末５が送信するＲＥＧＩＳＴＥＲ要求信号ＲＭ１のヘッダに含まれる情報を示す図である。
【図５】ＡＰ３が送信するＲＥＧＩＳＴＥＲ要求信号ＲＭ２のヘッダに含まれる情報を示す図である。
【図６】ＳＩＰ端末５の画面に表示される周辺情報の一例を示す図である。
【図７】通信システム１０の第１の変形例を示すブロック図である。
【図８】通信システム１０の第２の変形例を示すブロック図である。
【発明を実施するための形態】
【００１１】
図１は、本発明に係る通信システム１０の構成を示すブロック図である。
【００１２】
図１に示すように、かかる通信システム１０は、ＳＩＰ（Session Initiation Protocol）サーバ１、通信回線網２、無線アクセスポイント３1〜３3、ＧＰＳ（Global Positioning System）受信機４1〜４3、及びＳＩＰ端末５を含む。
【００１３】
ＳＩＰサーバ１は、ＳＩＰに従って少なくとも２つ以上のＳＩＰ端末５同士の双方向通信を司る交換機としての機能と、文字データをＳＩＰ端末５に供給するＳＭＳ機能とを有する。尚、ＳＩＰサーバ１内には、図２（ａ）に示すように、加入者の端末、つまり送信先となるＳＩＰ端末５各々の電話番号がその電話番号に対応した[ＳＩＰ  ＵＲＩ(Uniform Resource Identifier)］と対応付けして記憶されている電話番号メモリ（図示せぬ）と、周辺情報メモリとが搭載されている。周辺情報メモリには、例えば、図２（ｂ）に示すように、無線アクセスポイント３1〜３3（以降、ＡＰ３1〜ＡＰ３3とも称する）各々の設置位置の周辺の情報を文字で表す文字データが、ＡＰ３1〜ＡＰ３3夫々の設置位置（緯度、経度、高度）を示す位置情報に対応付けして記憶されている。ここで、周辺情報とは、例えば、ＡＰ３の設置位置近傍に存在する施設を示す情報（施設名、施設内容、電話番号等）、その施設で催されるイベント情報（イベント名、開催日時等）、その施設で実施中のサービス情報（無料、割引きクーポン等）、又はその施設を利用する際に役立つＵＲＬ（Uniform Resource Locator）等である。尚、図２（ｂ）では、例えば、ＡＰ３1がオフィスビルの３階のフロントフロアに設置され、ＡＰ３2がショッピングモールの店舗内に設置され、ＡＰ３3がオフィスの入退出ゲートに設置されている場合における周辺情報の一例を示している。
【００１４】
通信回線網２は、ＬＡＮ（Local Area Network）、加入者回線、及びインターネット等を含む。ここで、通信回線網２は、ＩＰ（Internet Protocol）で疎通できる網である。この通信回線網２において通信するホストは、相互通信するためにＩＰアドレスが設定され、ＩＰアドレスによって相互に識別し通信できる。
【００１５】
無線中継装置としてのＡＰ３1〜ＡＰ３3は、例えばＷｉ−Ｆｉ（Wireless Fidelity）、またはＩＥＥＥ８０２．１１シリーズ（無線ＬＡＮ）に準拠した無線通信規格に従って、夫々の無線通信可能領域ＣＡ1〜ＣＡ3を形成し、夫々の無線通信可能領域ＣＡ1〜ＣＡ3内に存在するＳＩＰ端末５との無線通信を確立し、通信回線網２を介して、かかるＳＩＰ端末５及びＳＩＰサーバ１間の通信の中継を行う。尚、後述するように、ＡＰ３1〜ＡＰ３3の各々は自身の設置位置を示す位置情報を通信回線網２を介してＳＩＰサーバ１に送信する。
【００１６】
ＧＰＳ受信機４1〜４3は、ＡＰ３1〜ＡＰ３3の筐体上（図示せぬ）又はその近傍に設けられており、複数のＧＰＳ衛星から送信されてきた電波の強度に基づきＡＰ３1〜ＡＰ３3の設置位置（緯度、経度、高度）を算出し、その設置位置を示す位置情報をＡＰ３1〜ＡＰ３3に供給する。すなわち、ＧＰＳ受信機４1は、ＡＰ３1の筐体上又はその近傍に設けられており、ＡＰ３1の設置位置を示す位置情報をＡＰ３1に供給する。また、ＧＰＳ受信機４2は、ＡＰ３2の筐体上又はその近傍に設けられており、ＡＰ３2の設置位置を示す位置情報をＡＰ３2に供給する。また、ＧＰＳ受信機４3は、ＡＰ３3の筐体上又はその近傍に設けられており、ＡＰ３3の設置位置を示す位置情報をＡＰ３3に供給する。
【００１７】
無線通信端末としてのＳＩＰ端末５は、加入者回線を利用した双方向通信サービスを受ける為の電話番号又はアドレスが割り当てられている、例えば携帯電話機（スマートフォンを含む）又はタブレット型コンピュータ等の如き表示及び音声出力機能を備えた無線通信端末である。
【００１８】
以下に、上記した通信システム１０において為される通信動作について、図３に示す通信フローに沿って説明する。尚、かかる通信動作は、ＳＩＰ端末５を携帯するユーザが無線通信可能領域ＣＡ1内に入り込んだ際に為されるものである。
【００１９】
先ず、ＡＰ３1の無線通信可能領域ＣＡ1内に位置するＳＩＰ端末５は、図４に示す如き、送信先（Ｔｏ）、送信元（Ｆｒｏｍ）及び通信識別番号［Ｃａｌｌ−ＩＤ］を夫々示す情報を含むヘッダを有するＲＥＧＩＳＴＥＲ要求信号ＲＭ１を、ＡＰ３1に無線送信する（ステップＳ１）。すなわち、ＳＩＰ端末５は、このＳＩＰ端末５をＳＩＰサーバ１に登録させるべく、端末登録要求信号としてのＲＥＧＩＳＴＥＲ要求信号を送信するのである。
【００２０】
かかるＲＥＧＩＳＴＥＲ要求信号ＲＭ１を受信すると、ＡＰ３1は、このＲＥＧＩＳＴＥＲ要求信号ＲＭ１のヘッダに、図５に示す如くＡＰ３1の設置位置を示す位置情報ＸＰを付加したヘッダを有するＲＥＧＩＳＴＥＲ要求信号ＲＭ２を、通信回線網２を介してＳＩＰサーバ１に送信する（ステップＳ２）。
【００２１】
ＲＥＧＩＳＴＥＲ要求信号ＲＭ２を受信すると、ＳＩＰサーバ１は、このＲＥＧＩＳＴＥＲ要求信号ＲＭ２にて示される各種情報に基づく通信登録処理（説明せず）を行う。この際、かかる通信登録処理が終了すると、ＳＩＰサーバ１は、このＲＥＧＩＳＴＥＲ要求に応じた通信登録処理が正常に為されたことを示す［２００ ＯＫ］コードを、ＲＥＧＩＳＴＥＲ要求信号ＲＭ１の送信元のＳＩＰ端末５に通知すべく、これをＡＰ３1に送信する（ステップＳ３）。［２００ ＯＫ］コードを受信すると、ＡＰ３1は、この［２００ ＯＫ］コードを、上記したＲＥＧＩＳＴＥＲ要求信号ＲＭ１の送信元のＳＩＰ端末５に無線中継する（ステップＳ４）。
【００２２】
また、ステップＳ３の終了後、ＳＩＰサーバ１は、図５に示す如きＲＥＧＩＳＴＥＲ要求信号ＲＭ２のヘッダ中から位置情報ＸＰを抽出し、この位置情報ＸＰにて示されるＡＰ３1の設置位置に対応付けされている周辺情報を、図２（ｂ）に示す如き記憶内容の周辺情報メモリから読み出す（ステップＳ５）。そして、ＳＩＰサーバ１は、かかる周辺情報を示す文字データをショートメッセージとして、ＲＥＧＩＳＴＥＲ要求信号ＲＭ１の送信元のＳＩＰ端末５に送信すべく、このショートメッセージをＡＰ３1に送信する（ステップＳ６）。すなわち、ＳＩＰサーバ１は、上記の如く受信したＲＥＧＩＳＴＥＲ要求信号ＲＭ２に含まれている登録アドレス（ＳＩＰ  ＵＲＩ）に対応した送信先の電話番号を、図２（ａ）に示す如き記憶内容の電話番号メモリから読み出し、その電話番号を送信先としてショートメッセージを送信するのである。尚、ＲＥＧＩＳＴＥＲ要求信号ＲＭ２のヘッダに送信先の電話番号が含まれている場合には、ＳＩＰサーバ１は、この電話番号を送信先として、ショートメッセージを送信するようにしても良い。
【００２３】
かかるショートメッセージを受信すると、ＡＰ３1は、このショートメッセージを、上記した電話番号での送信先となる端末、つまりＲＥＧＩＳＴＥＲ要求信号ＲＭ１の送信元のＳＩＰ端末５に無線中継する（ステップＳ７）。
【００２４】
ショートメッセージを受信すると、ＳＩＰ端末５は、そのショートメッセージによって表される文字情報を画面に表示する（ステップＳ８）。例えば、上記実施例では、ＳＩＰ端末５がＡＰ３1の無線通信可能領域ＣＡ1内に存在するので、上記したステップＳ８の実行により、図２に示す如きＡＰ３1の設置位置に対応した周辺情報が、図６に示すようにＳＩＰ端末５の画面に表示される。
【００２５】
よって、通信システム１０によれば、ＳＩＰ端末５を携帯しているユーザが無線アクセスポイント（３1〜３3）の無線通信可能領域（ＣＡ1〜ＣＡ3）に立ち入ると、その無線アクセスポイントの設置位置の周辺の施設に関する情報（施設名、施設内容、実施イベント、ＵＲＬ等）が自動的に、このＳＩＰ端末５の画面に表示されるようになる。従って、ＳＩＰ端末５による検索操作を行うことなく、このＳＩＰ端末５のユーザは、現在地の近傍に存在する施設に関する情報を直ちに取得することが可能となる。
【００２６】
尚、上記実施例では、ＳＩＰ端末５が無線アクセスポイント（３1〜３3）の無線通信可能領域（ＣＡ1〜ＣＡ3）に進入したときに、その無線アクセスポイントが、自身の設置位置を示す位置情報ＸＰをＳＩＰサーバ１に送信するようにしているが、このＳＩＰ端末５の現在位置を示す位置情報をＳＩＰサーバ１に送信するようにしても良い。すなわち、ＧＰＳ受信機が搭載されているＳＩＰ端末５では、自身の存在位置を適宜取得することが出来る。そこで、ＳＩＰ端末５は、上記したステップＳ１において、送信先（Ｔｏ）、送信元（Ｆｒｏｍ）及び通信識別番号［Ｃａｌｌ−ＩＤ］と共に、自身の現在位置を示す位置情報ＸＰを含むヘッダを有するＲＥＧＩＳＴＥＲ要求信号ＲＭ１を、ＡＰ３に無線送信するようにしても良い。ここで、ＲＥＧＩＳＴＥＲ要求信号ＲＭ１を受信すると、ＡＰ３は、上記ステップＳ２において、このＲＥＧＩＳＴＥＲ要求信号ＲＭ１のヘッダに位置情報ＸＰが含まれているか否かを判定し、含まれている場合には、ＲＭ１をそのままＲＥＧＩＳＴＥＲ要求信号ＲＭ２とし、これを通信回線網２を介してＳＩＰサーバ１に送信する。一方、ＲＥＧＩＳＴＥＲ要求信号ＲＭ１のヘッダに位置情報ＸＰが含まれていない場合には、ＡＰ３は、ＧＰＳ受信機４で検出された位置情報を位置情報ＸＰとし、これをＲＥＧＩＳＴＥＲ要求信号ＲＭ１のヘッダ部に付加したものをＲＥＧＩＳＴＥＲ要求信号ＲＭ２としてＳＩＰサーバ１に送信する。ここで、ＳＩＰサーバ１は、受信したＲＥＧＩＳＴＥＲ要求信号ＲＭ２のヘッダに含まれている位置情報ＸＰが図２（ｂ）に示す如きＡＰ３1〜ＡＰ３3の設置位置のいずれにも該当しない場合、つまり、ＳＩＰ端末５の現在位置を示す場合には、この現在位置に最も近いＡＰ３の設置位置を選択する。そして、ＳＩＰサーバ１は、この選択した設置位置に対応付けされている周辺情報を、図２（ｂ）に示す如き記憶内容の周辺情報メモリから読み出し、かかる周辺情報を示す文字データをショートメッセージとして、ＲＥＧＩＳＴＥＲ要求信号ＲＭ１の送信元のＳＩＰ端末５に送信するのである。
【００２７】
尚、上記実施例では、周辺情報が、ＡＰ３（ＡＰ３1〜ＡＰ３3各々）の設置位置近傍に存在する情報等であると説明したが、設置位置近傍をＡＰ３（ＡＰ３1〜ＡＰ３3各々）の設置位置により定まる無線通信可能領域ＣＡ（ＣＡ1〜ＣＡ3各々）の領域内と規定し、周辺情報を無線通信可能領域ＣＡの領域内の情報に限定しても良い。
【００２８】
また、上記実施例では、ＳＩＰサーバ１のＳＭＳ機能が、ＲＥＧＩＳＴＥＲ要求信号ＲＭ１の送信元のＳＩＰ端末５に送信すべくショートメッセージを、公衆回線網（携帯電話網）の構成要素でないＡＰ３1に送信し、ＡＰ３1がショートメッセージをＲＥＧＩＳＴＥＲ要求信号ＲＭ１の送信元のＳＩＰ端末５に無線中継することでＳＩＰ端末５がショートメッセージを受信している。しかしながら、そもそもＳＭＳはＧＳＭ（Global System for Mobile Communications）規格（ＧＳＭは登録商標）の一部と解され公衆回線網（携帯電話網）を利用して文字情報を伝送するサービスであるのだから、ＳＭＳ機能が図１に図示されない公衆回線網を介してショートメッセージを送信しても良い。この場合、図１に図示されない公衆回線網にＳＩＰサーバ１とＳＩＰ端末５とが接続され、ＳＩＰサーバ１とＳＩＰ端末５とが相互通信可能な場合に、ＳＩＰサーバ１のＳＭＳ機能が電話番号を送信先とするショートメッセージを生成し、これを図１に図示されない公衆回線網がＳＩＰ端末５に無線中継する。
【００２９】
さらに、ＳＩＰサーバ１が、当該ＳＩＰサーバ１が公衆回線網（携帯電話網）に接続するか否か判断する回線判断機能を有しても良い。この場合、回線判断機能が、当該ＳＩＰサーバ１が公衆回線網（携帯電話網）に接続すると判断すると、ＳＭＳ機能が公衆回線網（携帯電話網）にショートメッセージを送出する。他方、回線判断機能が、当該ＳＩＰサーバ１が公衆回線網（携帯電話網）に接続しないと判断すると、上記実施例のように、ＳＭＳ機能がＡＰ３にショートメッセージを送出する。
【００３０】
また、上記実施例では、ＳＩＰサーバ１が、公衆回線網（携帯電話網）でやりとりするショートメッセージを、私設網（例えば、通信回線網２およびまたはＡＰ３で構成された網）を介してＳＩＰ端末５に与えるためのＩＰ−ＳＭ−ＧＷ（IP Short Message GateWay）機能を有する。そして、ＩＰ−ＳＭ−ＧＷ機能が、ＳＭＳ機能が生成した公衆回線網（携帯電話網）でやりとりできるショートメッセージを、私設網でやりとりできるショートメッセージへ変換し送出する。つまり、ＩＰ−ＳＭ−ＧＷ機能は、公衆回線網（携帯電話網）でやりとりするショートメッセージをＳＩＰのメッセージに変換しＳＩＰ端末５に転送するのである。
【００３１】
また、上記実施例において、ＡＰ３1〜ＡＰ３3の各々は、夫々で個別に各種通信パラメータ（電波強度、使用チャンネル等）の設定を行う必要がある、いわゆる自律型の無線アクセスポイントであるが、複数の無線アクセスポイントの設定をコントローラで集中制御するようにした、いわゆるコントロール型を採用するようにしても良い。
【００３２】
図７は、かかる点に鑑みて為された、本発明に係る通信システム１０の第１の変形例を示す図である。尚、図７に示す通信システム１０では、無線アクセスポイントとしてのＡＰ３1〜ＡＰ３3に代えてコントロール型対応のＡＰ３０1〜ＡＰ３０3を採用し、且つこれらＡＰ３０1〜ＡＰ３０3各々を制御するＡＰコントローラ３１を新たに設けた点を除く他の構成は図１に示されるものと同一である。ＡＰコントローラ３１は、ＡＰ３０1〜ＡＰ３０3各々に対する各種通信パラメータ、例えば、ＳＳＩＤ（Service Set Identifier）、電波強度、使用チャンネル、パケットフィルタリング等の設定及び変更を、通信回線網２を介して行う。
【００３３】
尚、図７に示す構成では、ＡＰ３０1〜ＡＰ３０3各々の設置位置をＧＰＳ受信機４1〜４3で検出するようにしているが、この通信システム１０を構築する段階でＡＰ３０1〜ＡＰ３０3各々の設置位置を測定しておけば、ＧＰＳ受信機４1〜４3を省くことが可能となる。
【００３４】
図８は、かかる点に鑑みて為された、本発明に係る通信システム１０の第２の変形例を示す図である。尚、図８に示す通信システム１０では、ＡＰコントローラ３１に代えてＡＰコントローラ３２を採用し、且つＧＰＳ受信機４1〜４3を省いた点を除く他の構成は図７に示されるものと同一である。ＡＰコントローラ３２には、上述した如き予め測定されたＡＰ３０1〜ＡＰ３０3各々の設置位置を示す位置情報が予め記憶されている。ＡＰコントローラ３２は、ＡＰコントローラ３１と同様にＡＰ３０1〜ＡＰ３０3各々に対して通信パラメータの設定及び変更を行うと共に、ＡＰ３０1〜ＡＰ３０3各々の設置位置を示す位置情報を通信回線網２を介して対応するＡＰ３０に夫々送信する。すなわち、図８に示される通信システム１０では、ＡＰ３０1〜ＡＰ３０3は、ＡＰコントローラ３２から、自身の設置位置を示す位置情報を取得するのである。
【００３５】
尚、上記した通信システム１０では、無線アクセスポイントとして３つのＡＰ３1〜ＡＰ３3を設けているが、１つ或いは４つ以上、つまり少なくとも１の無線アクセスポイントが通信回線網２に接続されていれば良いのである。
【００３６】
また、上記した通信システム１０では、無線中継装置としてのＡＰ３は、自身の設置位置を示す位置情報を端末登録要求信号に付加してＳＩＰサーバ１に送信するようにしているが、位置情報だけをＳＩＰサーバ１に送信するようにしても良い。また、上記実施例では、ＡＰ３は、無線通信端末としてのＳＩＰ端末５が送信した端末登録要求信号を受信したときに、位置情報を含む端末登録要求信号をＳＩＰサーバ１に送信しているが、要するに、ＡＰ３は、自身の通信可能領域ＣＡ内でＳＩＰ端末５の存在を検出したときに、上記した位置情報をＳＩＰサーバ１に送信すれば良いのである。
【００３７】
以上の如く、本発明に係る通信システムでは、無線中継装置（３）が自身の通信可能領域（ＣＡ）内での無線通信端末（５）の存在を検出した際に、この無線中継装置（３）の設置位置を示す位置情報（ＸＰ）を通信回線網（２）を介してサーバ（１）に送信する。かかる位置情報（ＸＰ）を受け取ると、サーバ（１）は、この位置情報（ＸＰ）によって示される無線中継装置（３）の周辺に存在する施設に関する周辺情報を、通信回線網（２）を介して無線通信端末（５）に送信するようにしている。
【００３８】
かかる通信システムによれば、無線通信端末（５）を携帯しているユーザが、無線中継装置（３）の無線通信可能領域（ＣＡ）に立ち入ると、自動的に、その周辺に存在する施設の情報がこの無線通信端末（５）の画面に表示されることになる。従って、ユーザは、無線通信端末（５）に対する検索操作を実施することなく、現在地の近傍に存在する施設に関する情報を無線通信端末（５）で取得することが可能となる。
【符号の説明】
【００３９】
１            ＳＩＰサーバ
２            通信回線網
３1〜３3      無線アクセスポイント
４1〜４3      ＧＰＳ受信機
５            ＳＩＰ端末
【図１】
2014195197.tif 000003
【図２】
2014195197.tif 000004
【図３】
2014195197.tif 000005
【図４】
2014195197.tif 000006
【図５】
2014195197.tif 000007
【図６】
2014195197.tif 000008
【図７】
2014195197.tif 000009
【図８】
2014195197.tif 000010